(57)【要約】【課題】装飾的に自由度の高いデザインが可能で、且つ、タッチノイズを防止でき、機械的な強度と柔軟性があり、絡まり難いコードを実現する。【解決手段】コード１は、複数の導体１０−１〜１０−４と、第１の色に着色され、複数の導体１０−１〜１０−４を被覆する絶縁体２０と、第１の色とは異なる第２の色に着色され、絶縁体２０を被覆するように装着された管状の外皮部材３０と、この外被部材３０の長手方向に所定間隔をおいて形成された複数の開口部３１とを有している。各導体１０−１〜１０−４は、複数本のポリウレタン銅線等の絶縁電線１１により構成されている。外被部材３０は、軟質性の合成樹脂により形成されている。そして、絶縁体２０における第１の色が、外皮部材の３０の各開口部３１から視認可能な構成になっている。【選択図】図１
0003161391.tif 000002
【実用新案登録請求の範囲】
【請求項１】
複数の線状の導体と、
１つ又は複数の第１の色に着色され、前記複数の導体を被覆する絶縁体と、
前記第１の色とは異なる第２の色に着色され、前記絶縁体を被覆するように装着された管状の外皮部材と、
前記外被部材の長手方向に所定間隔をおいて形成された複数の開口部とを有し、
前記絶縁体における前記第１の色が前記各開口部から視認可能な構成になっていることを特徴とするコード。
【請求項２】
前記各導体は、
複数本の絶縁電線により構成されていることを特徴とする請求項１記載のコード。
【請求項３】
前記絶縁電線は、ポリウレタン銅線を含む合成エナメル線であることを特徴とする請求項２記載のコード。
【請求項４】
前記外被部材は、軟質性の合成樹脂により形成されていることを特徴とする請求項１〜３のいずれか１項に記載のコード。
【考案の詳細な説明】
【技術分野】
【０００１】
本考案は、ヘッドホン、イヤホン、マイクロホン、イヤホン・マイクロホン等と携帯オーディオ機器、携帯電話機等とを接続するためのコードに関するものである。
【背景技術】
【０００２】
例えば、下記の特許文献１には、ステレオヘッドホンに使用されるコードの技術が記載されている。
【０００３】
従来のコードは、複数の銅線等によりそれぞれ構成された２本の導体が所定間隔隔てて平行に配置され、これらの２本の導体がポリ塩化ビニル（以下「ＰＶＣ」という。）等の外被部材によりそれぞれ覆われて２本の断面円形の絶縁電線が形成され、且つこれらの２本の絶縁電線が前記外被部材により相互に接合された構造をしている。
【先行技術文献】
【特許文献】
【０００４】
【特許文献１】特開平１１−２５２６８１号公報
【考案の概要】
【考案が解決しようとする課題】
【０００５】
しかしながら、従来のコードでは、次の（ａ）〜（ｃ）のような課題があった。
【０００６】
（ａ）  従来のコードでは、断面円形の２本の絶縁電線が相互に接合された構造をしているため、装飾的なデザインを施すことができない。
【０００７】
（ｂ）  折り曲げによって内部の２本の導体が切れやすく、且つ、絡まりやすい。
【０００８】
（ｃ）  例えば、ヘッドホン本体が取り付けられたコード付きヘッドホンを耳に装着している時に、衣服との接触によりコードに振動が加わると、この振動がタッチノイズとなってヘッドホンへ伝播され、ヘッドホンから出力される音声の音質が劣化する。
【課題を解決するための手段】
【０００９】
本考案のコードは、複数の線状の導体と、１つ又は複数の第１の色に着色され、前記複数の導体を被覆する絶縁体と、前記第１の色とは異なる第２の色に着色され、前記絶縁体を被覆するように装着された管状の外皮部材と、前記外被部材の長手方向に所定間隔をおいて形成された複数の開口部とを有し、前記絶縁体における前記第１の色が前記各開口部から視認可能な構成になっている。
【考案の効果】
【００１０】
本考案によれば、次の（１）〜（３）のような効果がある。
【００１１】
（１）  第２の色に着色された管状の外被部材の長手方向に沿って、所定間隔に開口部が形成されているので、各開口部から内部の絶縁体の第１の色を視認でき、審美的な装飾効果を向上できる。
【００１２】
（２）  外被部材にはこの長手方向に沿って所定間隔に開口部が形成されているので、柔軟性が増し、例えば、ヘッドホン本体が取り付けられたコード付きヘッドホンを耳に装着している時に、コードから伝わるタッチノイズの耳への振動が低減され、音質の劣化を防止できる。しかも、コードの柔軟性が増すので、使用時において身体の曲部になじんで装着感が良くなる。
【００１３】
（３）  絶縁体により被覆された導体は、外被部材により被覆されているので、屈曲強度が大きく、折り曲げによって内部の導体が切れ難く、且つ、絡まり難い。
【００１４】
この（１）〜（３）に説明したように、本考案によれば、装飾的に自由度の高いデザインが可能で、且つ、タッチノイズを防止でき、機械的な強度と柔軟性があり、絡まり難いコードを実現できる。
【図面の簡単な説明】
【００１５】
【図１】図１は本考案の実施例１におけるコードの一部を示す概略の構成図である。
【図２】図２は図１のコード１における製造方法の一例を示す模式的な製造工程図である。
【図３】図３は本考案の実施例２におけるコードの一部を示す概略の平面図である。
【図４】図４は本考案の実施例３におけるコードの径方向を示す概略の拡大断面図である。
【考案を実施するための形態】
【００１６】
本考案を実施するための形態は、以下の好ましい実施例の説明を添付図面と照らし合わせて読むと、明らかになるであろう。但し、図面はもっぱら解説のためのものであって、本考案の範囲を限定するものではない。
【実施例１】
【００１７】
（実施例１の構成）
図１（ａ）、（ｂ）は、本考案の実施例１におけるコードの一部を示す概略の構成図であり、同図（ａ）は斜視図、及び同図（ｂ）は平面図である。
【００１８】
本実施例１のコード１は、ヘッドホン、イヤホン、マイクロホン、イヤホン・マイクロホン等と携帯オーディオ機器、携帯電話機等とを接続するための２チャンネル用の４芯コードであって、全体の形状が、径方向における断面が略方形（例えば、幅４ｍｍ、厚み２ｍｍ程度）であり、長手方向が帯状をしている。
【００１９】
このコード１は、線状の第１、第２、第３及び第４の導体１０−１，１０−２，１０−３，１０−４を有している。各導体１０−１〜１０−４は、外径が例えば０．８ｍｍ程度であり、複数本（例えば、十数本）の絶縁電線１１により構成されている。各絶縁電線１１は、芯線が樹脂で絶縁被覆されたポリウレタン銅線（例えば、芯線径０．００６ｍｍ）等の合成エナメル線により構成されている。
【００２０】
なお、各絶縁電線１１は、合成エナメル線以外の他の電線により構成しても良い。又、第１、第２、第３及び第４の導体１０−１，１０−２，１０−３，１０−４は、分離作業（即ち、仕分け作業）を容易にするために、それぞれ異なる色（例えば、第１、第２の導体１０−１，１０−２を自然色である透明、第３の導体１０−３を緑色、第４の導体１０−４を赤色）に着色することが望ましい。異なる色は、他の任意の色を採用できる。
【００２１】
第１〜第４の導体１０−１〜１０−４の内、第１及び第２の導体１０−１，１０−２は、隣接して平行に配置されて断面が略楕円形をなすＰＶＣ等の絶縁体２０−１により被覆され、更に、第３及び第４の導体１０−３，１０−４も、隣接して平行に配置されて断面が略楕円形をなすＰＶＣ等の絶縁体２０−２により被覆され、その２つの絶縁体２０−１，２０−２が相互に接合されて１つの絶縁体２０が形成されている。
【００２２】
絶縁体２０は、装飾性を考慮して１つ又は複数の第１の色に着色されている。例えば、図１（ａ）に示す絶縁体２０の径方向の断面において、上半分が桃色、下半分が白色に着色されている。なお、絶縁体２０における第１の色の着色の態様としては、他の複数色の任意の色の組み合わせにより着色したり、或いは、１色の任意の色に着色しても良い。
【００２３】
第１〜第４の導体１０−１〜１０−４を被覆している絶縁体２０には、これを被覆するように管状の外皮部材３０が装着されている。外皮部材３０は、径方向の断面が略角筒状であって、肉厚が略０．５ｍｍ程度であり、柔軟な軟質性の合成樹脂等により形成され、装飾性を考慮して、絶縁体２０の第１の色とは異なる第２の色（例えば、黒色等）に着色されている。
【００２４】
この外皮部材３０の上面である平面と底面とには、長手方向に沿って所定間隔（例えば、１０ｃｍ程度の間隔）をおいて複数の開口部３１が形成されている。各開口部３１は、装飾性を考慮して、内部の絶縁体２０の色を視認可能にするものであり、略菱形（例えば、コード長手方向の長さ４ｍｍ、コード幅方向の長さ３ｍｍ程度）の形状をしている。
【００２５】
（実施例１のコードの製造例）
図２（ａ）、（ｂ）は、図１のコード１における製造方法の一例を示す模式的な製造工程図であり、同図（ａ）は管状の外皮部材素材を用いた開口部３１の形成工程を示す側面図、及び、同図（ｂ）は絶縁体２０により被覆された導体１０−１〜１０−４を管状の外皮部材３０内に挿入する作業工程を示す斜視図である。
【００２６】
図１の４芯コード１を製造する場合、図示しないが、例えば、複数本の絶縁電線１１を束ねて第１、第２、第３、第４の導体１０−１〜１０−４をそれぞれ形成した後、第１、第２、第３、第４の導体１０−１〜１０−４をそれぞれドラムに巻き取る。ドラムに巻き取られた第１、第２、第３、第４の導体１０−１〜１０−４をそれぞれ並行に繰り出し、押出機によって、第１の色に着色された絶縁体２０で被覆してドラムに巻き取る。
【００２７】
又、図２（ａ）に示すように、ドラム４０に巻き取られた第２の色の管状の外皮部材素材３０ａを繰り出し、上金型４１ａ及び下金型４１ｂを有する金型４１を装着したプレス機等により、外被部材素材３０ａを打ち抜き、開口部３１を所定間隔毎に形成して管状の外被部材３０を製造し、ドラム４２に巻き取る。
【００２８】
その後、図２（ｂ）に示すように、絶縁体２０で被覆された第１、第２、第３、第４の導体１０−１〜１０−４の端部に、例えば、図示しないワイヤを取り付け、その第１、第２、第３、第４の導体１０−１〜１０−４をドラム４２から繰り出し、そのワイヤを管状の外被部材３０内に引き込んでその第１、第２、第３、第４の導体１０−１〜１０−４を外皮部材３０内に挿入すれば、図１の４芯コード１の製造が終了する。
【００２９】
このようにして製造されたコード１を使用する場合、例えば、用途に応じて所定の長さに切断する。切断されたコード１における絶縁体２０及び外被部材３０の端末部を、加熱ワイヤ等の切断治具を用いて切断し、この切断した絶縁体２０及び外被部材３０を剥離して所定の長さだけ第１、第２、第３、第４の導体１０−１〜１０−４の端末部を露出させ、ヘッドホン本体やプラグ等に接続すれば、音声信号転送用に使用できる。
【００３０】
（実施例１の効果）
本実施例１によれば、次の（ａ）〜（ｄ）のような効果がある。
【００３１】
（ａ）  第２の色に着色された管状の外被部材３０の長手方向に沿って、所定間隔に開口部３１が形成されているので、各開口部３１から内部の絶縁体２０の第１の色を視認でき、絶縁体２０の第１の色と外皮部材３０の第２の色との組み合わせにより、審美的な装飾効果を向上できる。
【００３２】
（ｂ）  外被部材３０にはこの長手方向に沿って所定間隔に開口部３１が形成されているので、柔軟性が増し、例えば、ヘッドホン本体が取り付けられたコード付きヘッドホンを耳に装着している時に、コード１から伝わるタッチノイズの耳への振動が低減され、音質の劣化を防止できる。しかも、コード１の柔軟性が増すので、使用時において身体の曲部になじんで装着感が良くなる。
【００３３】
（ｃ）  絶縁体２０により被覆された導体２０−１〜２０−４は、外被部材３０により被覆されているので、屈曲強度が大きく、折り曲げによって内部の導体１０−１〜１０−４が切れ難く、且つ、絡まり難い。
【００３４】
（ｄ）  第１、第２、第３、第４の導体１０−１〜１０−４を異なる色に着色すれば、仕分け作業が容易になり、ヘッドホン本体等に接続する際に、極性の誤りを防止できる。
【００３５】
この（ａ）〜（ｄ）に説明したように、本実施例１によれば、装飾的に自由度の高いデザインが可能で、且つ、タッチノイズを防止でき、機械的な強度と柔軟性があり、絡まり難いコード１を実現できる。
【実施例２】
【００３６】
図３（ａ）、（ｂ）は、本考案の実施例２におけるコードの一部を示す概略の平面図であり、実施例１を示す図１（ｂ）中の要素と共通の要素には共通の符号が付されている。
【００３７】
図３（ａ）のコード１Ａでは、外被部材３０の上面である平面と底面とに、長手方向に沿って所定間隔（例えば、１０ｃｍ程度の間隔）をおいて楕円形の開口部３０Ａが形成されている。
【００３８】
図３（ｂ）のコード１Ｂでは、外被部材３０の平面と底面とに、長手方向に沿って所定間隔（例えば、１０ｃｍ程度の間隔）をおいて方形の開口部３１Ｂが形成されている。
【００３９】
このように外皮部材３０に楕円形の開口部３１Ａや方形の開口部３１Ｂを形成することにより、実施例１とは異なる装飾効果を奏することができる。
【００４０】
なお、開口部３１，３１Ａ，３１Ｂの形状は、略菱形、楕円形、方形以外の他の三角形、円形、ハート形等の種々の形状に変更したり、或いは異なる形状を組み合わせることにより、装飾的なデザインの多様化を図ることができる。
【実施例３】
【００４１】
図４は、本考案の実施例３におけるコードの径方向を示す概略の拡大断面図であり、実施例１を示す図１（ａ）中の要素と共通の要素には共通の符号が付されている。
【００４２】
本実施例３のコード１Ｃは、実施例１のコード１と同様に２チャンネル用の４芯コードであるが、全体の形状が実施例１とは異なり、径方向における断面が略楕円形（例えば、長径４ｍｍ、短径２ｍｍ程度）になっている。
【００４３】
このコード１Ｃは、実施例１と同様の第１、第２、第３及び第４の導体１０−１，１０−２，１０−３，１０−４を有し、これらの各導体１０−１〜１０−４が、複数本の絶縁電線１１によりそれぞれ構成されている。第１〜第４の導体１０−１〜１０−４は、隣接して平行に配置されて断面が略楕円形をなすＰＶＣ等の絶縁体２０Ｃにより被覆されている。絶縁体２０Ｃは、実施例１と同様に、装飾性を考慮して１つ又は複数の第１の色に着色されている。この絶縁体２０Ｃには、これを被覆するように管状の外皮部材３０Ｃが装着されている。外皮部材３０Ｃは、径方向の断面が略楕円筒状であって、肉厚が略０．５ｍｍ程度であり、柔軟な軟質性の合成樹脂等により形成され、装飾性を考慮して、絶縁体２０Ｃの第１の色とは異なる第２の色（例えば、黒色等）に着色されている。
【００４４】
この外皮部材３０Ｃの上部と下部とには、長手方向に沿って所定間隔（例えば、１０ｃｍ程度の間隔）をおいて複数の開口部３１Ｃが形成されている。各開口部３１は、実施例１、２と同様に、装飾性を考慮して、内部の絶縁体２０Ｃの色を視認可能にするものであり、略菱形、楕円形、方形、三角形、円形、ハート形等の所望の形状になっている。
【００４５】
図４の４芯コード１Ｃを製造する場合、例えば、図２（ａ）の金型４１とは異なる構造の金型を用いて外皮部材３０Ｃの長手方向に沿って複数の開口部３１Ｃを形成する。更に、導体１０−１〜１０−４を絶縁体２０Ｃで被覆し、これをワイヤ等を用いて外皮部材３０Ｃ内に挿入すれば、製造が終了する。
【００４６】
本実施例３のコード１Ｃによれば、この径方向の断面形状が実施例１のコード１とは異なるものの、実施例１と略同様の作用、効果を奏することができる。
【００４７】
（変形例）
本考案は、上記実施例１〜３に限定されず、その他の種々の利用形態や変形が可能である。この利用形態や変形例としては、例えば、次の（ｉ）、（ｉｉ）のようなものがある。
【００４８】
（ｉ）  導体１０−１〜１０−４の数は、４芯に限定されず、２芯、３芯、５芯、６芯等の他の芯線数に変更し、これに応じて各導体を異なる色（例えば、自然色である透明、緑色、赤色、その他の色）に着色して各導体を区別する構成にしても良い。又、各導体１０−１，・・・を構成する絶縁電線１１の材質、径等は、実施例１〜３以外のものに変更しても良い。
【００４９】
（ｉｉ）  コード１，１Ａ，１Ｂ，１Ｃの断面形状、断面構造、寸法、構成材料、製造方法等は、実施例１〜３のものに限定されず、種々の変更が可能である。
【符号の説明】
【００５０】
１，１Ａ，１Ｂ，１Ｃ      コード
１０−１〜１０−４      導体
１１      絶縁電線
２０，２０−１〜２０−４，２０Ｃ      絶縁体
３０，３０Ｃ      外皮部材
３１，３１Ａ，３１Ｂ，３１Ｃ      開口部
【図１】
0003161391.tif 000003
【図２】
0003161391.tif 000004
【図３】
0003161391.tif 000005
【図４】
0003161391.tif 000006